(57)【要約】  パーソナルケア装置は、充電式電池を収容するハンドル（２）と、それぞれの身体トリートメントを行う様々な手持ち式の装具を組み立てるためにハンドルに交換可能に取り付けることができる、振動式の安全かみそりヘッド（４）及び毛髪トリミングデバイス（３）などの複数の動作ヘッドとを含む。使用しないときに装置の構成要素を格納するための基部（１）が含まれ、また基部は、電池を再充電するためにハンドルを差し込むソケット（６）を有する電池充電デバイスを形成する。動作ヘッドは、電池によって電力供給される電気デバイス、特に電動モータを含む。
2010536460.tif 000002
【特許請求の範囲】
【請求項１】
電気接点と、前記電気接点に電流を供給する電池を収容するための電池区画とを含むハンドルと、
それぞれの身体トリートメントを行うために、前記ハンドルに交換可能に取り付けることができる複数の動作ヘッドであって、動作ヘッドのそれぞれが、電気デバイスと、それぞれの動作ヘッドを前記ハンドルに取り付けたときに前記電気デバイスに電流を供給するために、前記ハンドル上の前記接点と協働する電気接点とを含む動作ヘッドとを備え、
少なくとも第１及び第２の動作ヘッドの前記電気デバイスが電動モータを備える、パーソナルケア装置。
【請求項２】
前記動作ヘッドのうち少なくとも第１の動作ヘッドの前記電気デバイスが、前記動作ヘッドに含まれる振動発生デバイスを駆動するための電動モータを備える、請求項１に記載のパーソナルケア装置。
【請求項３】
前記動作ヘッドのうち少なくとも第２の動作ヘッドの前記電気デバイスが、電動モータと、前記動作ヘッドに移動可能に取り付けられたトリートメント要素とを備え、前記トリートメント要素が、それを駆動する前記モータに連結されるとともに、前記動作ヘッドを用いて身体トリートメントを行うために身体部分と接触させるように前記動作ヘッド上に配置される、請求項２に記載のパーソナルケア装置。
【請求項４】
前記ハンドルが、前記ハンドルに取り付けられた動作ヘッドの前記電気デバイスへの電流供給を制御するスイッチを備える、請求項１に記載のパーソナルケア装置。
【請求項５】
前記第１の動作ヘッドが、前記ハンドルと組み合わせて振動式の安全かみそりを形成する安全かみそりヘッドを含む、請求項２に記載のパーソナルケア装置。
【請求項６】
前記安全かみそりヘッドが、取外し可能な剃毛カートリッジを有する、請求項５に記載のパーソナルケア装置。
【請求項７】
少なくとも２つの動作ヘッドの前記電動モータが、身体トリートメントを行う際のそれぞれの動作ヘッドの動作に対して異なる所要電力を有する、請求項１に記載のパーソナルケア装置。
【請求項８】
前記ハンドルが、各動作ヘッドに機械的に接続するための末端連結部品を有し、前記末端連結部品が、円筒形のスリーブ部分を備え、前記ハンドルの第１の電気接点が前記スリーブ部分内に配設され、別の電気接点が前記スリーブ部分によって形成される、請求項１に記載のパーソナルケア装置。
【請求項９】
各動作ヘッドが、前記スリーブ部分に滑り係合することができる雄部材が設けられた連結部品を含み、前記連結部品は、前記雄部材を前記スリーブ部分に解放可能に係止するために、前記スリーブ部分に形成された差し込みスロットと係合する半径方向の突起を有する、請求項７に記載のパーソナルケア装置。
【請求項１０】
充電式電池が前記ハンドルの前記電池区画に受け入れられ、前記装置が、前記電池を再充電するための充電デバイスを更に備え、前記充電デバイスが、前記電池を再充電するために前記ハンドルが前記充電デバイスと係合されたときに前記ハンドルの電気接点と協働する電気接点を有する、請求項１に記載のパーソナルケア装置。
【発明の詳細な説明】
【技術分野】
【０００１】
本発明は、パーソナルケア装置に関し、特に、それぞれの身体トリートメントを行う様々な電池駆動式装具を提供する装置に関する。本発明は、パーソナルグルーミング装置を参照して本明細書に具体的に記載される。
【背景技術】
【０００２】
ユーザの身体に対してパーソナルケアトリートメントを行うことを意図した、様々な種類の電気装具が既知である。パーソナルグルーミングとの関連において、そのような装具としては、身体の皮膚部位をしっかりと剃毛するための鋭いブレードを有し、モータ駆動式の振動発生デバイスなどの電気デバイスを備えた安全かみそり、並びに異なる毛髪トリミング及び調髪の仕事に合わせた異なるブレード構成を有し、剪断作用で毛髪を切るためのモータ駆動式のカッターを有する毛髪トリマーが挙げられる。安全かみそり及び電気駆動式の毛髪トリミングデバイスを一体化することが知られているが、毛髪トリミングデバイスのカッターを駆動するのに使用される電動モータと、安全かみそりの振動発生デバイスを駆動するのに使用される電動モータの所要電力が異なるため、振動式の安全かみそり及び毛髪トリミングデバイスを類似の方式で一体化することは実用的ではない。
【発明の概要】
【発明が解決しようとする課題】
【０００３】
したがって、ジレット社（The Gillette Company）によってＭ３  Ｐｏｗｅｒの商標名で製造され販売されているかみそりなど、湿式剃毛かみそりの剃毛カートリッジの振動を生じさせるのに必要なモータは、電動乾式かみそりに設けられる種類のトリマーの切断ブレードを駆動させるのに十分な強力なものではなく、逆に、トリマーを駆動させるのに使用されるようなモータは大きすぎ、安全かみそりの振動を発生させるのに有効に使用するには多すぎる電池電力を引き込む。一体化されたデバイスの別の不利な点は、毛髪トリマーが、一般に、装具の主な用途に対して二次的な役割を有し、最も効率的で便利な使用を容易にするように最適に位置付けられない。安全かみそりと一体化されたトリマーの更なる欠点は、剃毛くず及び石鹸をブレードから洗い流すために安全かみそりを多量の水に沈めたとき、トリマーブレード及び作動システムが水に晒されることである。
【課題を解決するための手段】
【０００４】
上述の点を考慮に入れて、本発明によれば、電気接点と、電気接点に電流を供給する電池を収容するための電池区画とを含むハンドルと、それぞれの身体トリートメントを行うために、ハンドルに交換可能に取り付けることができる複数の動作ヘッドであって、動作ヘッドのそれぞれが、電気デバイスと、それぞれの動作ヘッドをハンドルに取り付けたときに電気デバイスに電流を供給するために、ハンドル上の接点と協働する電気接点とを含む動作ヘッドとを備え、少なくとも第１及び第２の動作ヘッドの電気デバイスが電動モータを備える、パーソナルケア装置が提供される。
【０００５】
本発明を具体化する装置では、共通のハンドル、したがって共通の電池電源を使用して、それぞれの装具の動作に適した異なる電力特性の電動モータを有する、一連の異なる装具を組み立てることができる。複数の装具に対して単一のハンドルのみが必要とされるので、提供される一連の装具は過度に高価になることなく、高価値な構成要素として作製することができる。それぞれの動作ヘッドは、ハンドル上で容易に交換可能であることができ、また、個々の動作ヘッドの性能を最適にするように設計されたそれら独自のモータ及び／又は他の電気デバイスを装備することができる。
【０００６】
経済上の理由で、ハンドルは、好ましくは、ハンドルに取り付けられた動作ヘッドの電動デバイスに対する電流の供給を制御するスイッチを含む。しかしながら、動作ヘッドの１つ以上が、所望により、スイッチ機構、又は電子切換え装置を装備してもよい。動作ヘッドのうち少なくとも第１の動作ヘッドの電気デバイスは、動作ヘッドに含まれる振動発生デバイスを駆動する電動モータを備えてもよい。更に、動作ヘッドのうち少なくとも第２の動作ヘッドは、電動モータと、動作ヘッドに移動可能に取り付けられたトリートメント要素とを備えてもよく、トリートメント要素は、それを駆動するモータに連結されるとともに、動作ヘッドを用いて身体トリートメントを行うために身体部分と接触させるように動作ヘッド上に配置される。パーソナルグルーミング装置の一実施形態では、モータ駆動式の振動発生デバイスを有する動作ヘッドは、好ましくは、ハンドルに装着されると振動式のかみそりを形成する安全かみそりヘッドであり、安全かみそりヘッドは、理想的には、取外し可能な剃毛カートリッジを支えるように適合される。振動デバイスの便利で低コストの形態は、コインモータ又は偏心重りを駆動するモータであり、両方ともそれ自体が既知である。第２の動作ヘッドは、この動作ヘッドの電動モータによって駆動可能であるように連結されたトリマーブレード駆動要素を有する少なくとも１つのトリマーブレードアセンブリを備える、毛髪トリマー部を備えることができる。好ましい構造では、トリマー部は複数のトリマーブレードアセンブリを備え、トリマー部は、ブレードアセンブリのいずれか１つを有効な毛髪トリミング位置で選択的に位置付けるために、動作ヘッドの駆動部に移動可能に取り付けられる。装置はまた、トリマー部が毛髪をそこまでトリミングするように動作可能な毛髪の長さを長くするために、トリマーブレードアセンブリの上に解放可能に係合することができる少なくとも１つの櫛アタッチメントを含んでもよく、このようにして、トリマー部の性能が特に便利で経済的な形で拡張される。
【０００７】
装置のそれぞれの動作ヘッドが独自のそれぞれのモータを具備するので、個々の動作ヘッドの要求にのみ基づいてモータを選ぶことができる。結果として、装置の好ましい特徴は、身体トリートメントを行う際にそれぞれの動作ヘッドを動作させるために、少なくとも２つの動作ヘッドが、所要電力が異なる、したがって電力出力が異なるモータを有することである。
【０００８】
ハンドルを動作ヘッドそれぞれに取外し可能に接続するために、連結具が設けられる。一実施形態では、ハンドルは、円筒形のスリーブ部分を備える雌連結部材として形成された末端連結部品を有し、第１の電気接点はスリーブ部分内に配設され、別の電気接点はスリーブ部分によって形成される。各動作ヘッドは、スリーブ部分に滑り係合することができるプラグ部品を備える補完的な雄連結部材を有し、雄連結部材は、雄部材を雌連結部材に解放可能に機械的に係止するために、スリーブ部分に形成された差し込みスロットと係合する半径方向の突起を有する。雄部材は、雌連結部材の第１の接点と電気的に接続するための第２の中央電気接点を含み、プラグ部品は、スリーブ部分と接続するための更なる電気接点としての役割を果たす。
【０００９】
ハンドルは、電荷（change）が消耗されると廃棄され交換されることが意図される使い捨て電池を収容するような構造であることができるが、本発明を具体化する好ましい装置では、充電式電池が電池区画に受け入れられ、装置は、電池を再充電するための充電デバイスを含む。充電デバイスは、好ましくは、電池を再充電するために充電デバイスが充電デバイスと係合されたとき、ハンドルの電気接点と協働する電気接点を含む。このことは、再充電するときにはハンドルを動作ヘッドから分離しなければならず、その結果、電池を再充電している間は、状況によっては潜在的な安全上の問題となり得る動作ヘッドの動作が不能になるという利点を有する。
【００１０】
充電デバイスは、便利には、使用しない期間の間は保管のために動作ヘッドを受け入れるように設計された保持領域を備えた格納ホルダに含まれる。
【００１１】
本発明の上述及び他の特徴及び利点についての更に十分な理解は、以下の実施形態の詳細な説明によって得られるであろう。
【図面の簡単な説明】
【００１２】
【図１】本発明を具体化するパーソナル毛髪グルーミング装置の図。
【図２】ハンドルに収容された電池を再充電するための充電デバイスとハンドルが係合されている、図１の装置を示す図。
【図３】充電デバイスの接続ソケットを示す上面図。
【図４ａ】図１に示される装置の構成要素から組み立てられた装具を示す正面図。
【図４ｂ】図１に示される装置の構成要素から組み立てられた装具を示す正面図。
【図４ｃ】図１に示される装置の構成要素から組み立てられた装具を示す正面図。
【図５】ハンドル及び毛髪トリミングデバイスの形態の動作ヘッドの軸方向断面図。
【図６】図５に示されるハンドル及び毛髪トリミングデバイスの、組み立てられた連結領域の拡大軸方向断面図。
【図７】第１のトリミングブレードアセンブリが操作位置に適合された毛髪トリミングデバイスの正面斜視図。
【図８】第２のトリミングブレードアセンブリが操作位置で示される、毛髪トリミングデバイスの正面斜視図。
【図９】従来の安全かみそりカートリッジを取り付けるように適合された安全かみそり動作ヘッドと組み合わされたハンドルの斜視図。
【図１０】櫛アタッチメントがトリマーにクリップ留めされた図７の毛髪トリミングデバイスの正面斜視図。
【図１１】図１０に示される毛髪トリミングデバイス及び櫛アタッチメントの背面斜視図。
【発明を実施するための形態】
【００１３】
パーソナルケア装置、特に本発明によるパーソナルグルーミング装置が図１及び２に示される。装置の構成要素は、基部１と、ハンドル２と、毛髪トリミングデバイス３と、安全かみそりヘッド４と、トリマー櫛アタッチメント５とを備える。基部１は、他の構成要素の格納ホルダを形成し、この目的のために、ハンドル２及び動作ヘッド３、４用のくぼんだ保持領域と、櫛アタッチメント５用のスタンドとを備える。基部はまた、電池充電器を収容し、更に後述するようにハンドルを差し込むための再充電ソケット６を備える。毛髪トリミングデバイス３及び安全かみそりヘッド４は、それぞれの手持ち式グルーミング装具、具体的には、図４ｂに示されるような毛髪トリマー及び図４ａに示されるような振動式の安全かみそりを組み立てるために、ハンドル２に取外し可能に取り付けることができる。それに加えて、櫛アタッチメント５をトリミングデバイス３に装着して、図４ｃに示されるような変型されたトリマーを形成することができる。毛髪トリミングデバイス３及びハンドルが、図５により詳細に示される。電源部を形成するハンドル２は、充電式電池１３が収容される電池区画と、ハンドルに取り付けたときに電池１３からトリミングデバイス３への電流供給を制御するスイッチ装置１４とを含む。ハンドルをトリミングデバイスに電気的且つ機械的に接続するための連結具が設けられ、その連結具は、ハンドル２上の雌連結部材１５とトリミングデバイス３上の雄連結部材１６とからなる。組み立てられた連結具が図６に縮尺を拡大して示される。雌連結部材１５は、ハンドルの上端部に位置するとともに、端部に係止陥凹部１９を有する一対の対称的な差し込みスロット１８を備えたスリーブ部分１７を含む。スリーブ部分１７内の中心には、ばね上げされハンドルの上端部に向かって軸方向に付勢されるピンの形態の第１の電気接点２０が位置付けられる。雄連結部材１６は、スリーブ部分１７内に滑り係合させることによって雌連結部材と噛合するように適合されたプラグ部品２１を有し、プラグ部品は、それぞれの差し込みスロット１８と協働するように配置された一対の正反対にあるピン突起２２を有する。第２の電気接点２３はプラグ部品２１内の中心に位置し、絶縁体２４がそれらの間に配設される。雄連結部材１６及び雌連結部材１５が完全に係合されると、第１の接点のばね荷重によって第１の接点２０及び第２の接点２３が押圧されて緊密に当接し、このばね荷重はまた、ピン突起２２を差し込みスロット１８の係止陥凹部１９内へと付勢して、トリミングデバイス３が意図せずにハンドル２から分離しないように固定する役割を果たす。中心の接点２３を雄プラグ部品２１内にばねマウントすることによって、付加的なばね力を加えることができる。スリーブ部分１７及びプラグ部品２１は更なる電気接点を形成し、それら電気接点は、ハンドル内の電池とトリミングデバイスとの間に電流を流すための回路を完成させるように協働する。好ましくは、中心の接点２０、２３は電気コネクタの正極接続をもたらし、接点１７、２１は負極接続をもたらす。トリミングデバイス３は、差し込み連結具の雄部材及び雌部材を包囲して、電気接点への水分の進入を排除するようにプラグ部品２１を取り囲むフード又は遮壁２５を含む。雌部材は、差し込みスロット１８の軸方向内側にスリーブ部分１７上で設けられる周溝内に配設される、Ｏリングシールなどの環状シール２６を有し、遮壁２５は、シール２６の上に緊密に嵌合して、雄部材及び雌連結部材が係合されたとき、遮壁とハンドルとの間に水密接続を確保する。
【００１４】
トリミングデバイスは駆動部３０及びトリマー部３１を含む。雄連結部材１６及び遮壁２５は駆動部のハウジング３２上に配設され、ハウジング内には、電動回転モータ３３と、モータ軸３５の回転運動を駆動ピンの形態の駆動出力部材３６の往復運動に変換する伝達機構３４とが収容される。モータの電気端子は、ハンドル内の電池１３から電流を供給してモータを駆動するために、トリミングデバイスの電気接点２１及び２３に接続される。駆動部の前面には、トリマー部３１のための取付けプレート４０が接続され、この取付けプレートは、後述する目的のために駆動部に対して上下に並進運動するように案内される。トリマー部は、トリマー部３１が取付けプレート４０に対して、したがって駆動部３０に対しても回転できるように、取付けプレート４０に保持される。トリマー部は、第１のトリマーブレードアセンブリ４２及び第２のトリマーブレードアセンブリ４３を含む。第１のブレードアセンブリ４２は、比較的長く直線状であり、トリマー部の面板４５に固定して取り付けられた第１のトリマーブレード４４と、第１のトリマーブレードに対して往復運動するように案内される、ブレード駆動要素４７に取り付けられた第２のトリマーブレード４６とを含む。第２のブレードアセンブリ４３は、相対的に短く、凸状のプロファイルを有し、面板４５に固定して取り付けられた第１のトリマーブレード４８と、曲線状経路に沿って第１のトリマーブレード４８に対して往復運動するように案内される、ピボット５１によって面板４５に取り付けられたブレード駆動要素５０に取り付けられた第２のトリマーブレード４９とを含む。ブレード駆動要素４７、５０はそれぞれスロットを含み、その中には、ブレード駆動要素を往復運動させ、且つブレード駆動要素に取り付けられたトリマーブレードも往復運動させるように、駆動出力ピン３６を係合することができる。
【００１５】
取付けプレート４０を駆動部に対して上向きにずらすと、トリマー部３１を取付けプレートに対して回転させて、図７及び８にそれぞれ示されるように、第１のブレードアセンブリ４２又は第２のブレードアセンブリ４３のどちらかを操作位置へと選択的に適合することができる。次に、取付けプレート４０及びトリマー部を下向きにずらすことで、駆動出力ピン３６が、操作位置に配設されたトリマーブレードアセンブリ４２又は４３のブレード駆動要素４７又は５０のスロット内に係合する。次に、モータ３３を作動させることによって、選択されたトリマーブレードアセンブリが動作するが、他方のトリマーブレードアセンブリは駆動出力ピン３６に連結されないままである。
【００１６】
詳細に上述した差し込み連結具は、ハンドルと毛髪トリミングデバイスとの間に堅固で安定した機械的接続をもたらすとともに、それらの間に良好な電気的接続を確保する。更に、連結具は容易に開くことができ、トリミングデバイスをハンドルから分離し、電池を再充電できるようにし、また異なる形態の動作ヘッドを、特に、従来の剃毛カートリッジ５６を受け入れるように適合され、コインモータなどの振動発生デバイスを駆動するモータを含む安全かみそりヘッド４を、ハンドルに動作可能に接続することを可能にする。理解されるように、安全かみそりヘッド４をハンドル２に接続するのに使用される連結具は、トリミングデバイス３に関して上述したのと同一のものであってもよく、剃毛カートリッジをすすぎ洗いするためにかみそりヘッドを完全に水に沈めたときであっても水が電気接点に達することがないように、遮壁２５はハンドルに密閉される。
【００１７】
トリミングデバイス３及び安全かみそりヘッド４のモータは異なる要件を有し、適宜選ばれる。剃毛の過程で剃毛カートリッジを振動させるのに必要なモータは、小型であり、電池１３から電力をほとんど引き込まない。トリミングデバイスのモータ３３は、より大型且つより強力であり、したがってより多量の電池電力を必要とする。それぞれの動作ヘッドは、ユーザの異なるグルーミングの必要性に特定的に適合された装具を作り出すように提供されるので、各装具は、その構成及びモータ駆動システムに関して最適に設計することができ、また最適に設計される。動作ヘッドの２つの特定の形態のみを記載してきたが、鼻毛トリマー、角質取り（exfoliator）、眉毛トリマー、皮膚クリーム塗布器、液体分配かみそり（liquid dispensing razor）、及び／又はマッサージ器を提供するなど、ハンドル２に取付け可能な動作ヘッドの他の追加の又は代替の形態が可能であることが理解されるであろう。それぞれの例において、動作ヘッドの設計及びそのモータは、関連する装具の種類に対して最良であると見なされるように独自に決定することができる。例えば、トリマーブレードアセンブリの操作位置を、ハンドルに対して使用する際の良好な可視性を確保するように配置することが容易に可能である。
【００１８】
上述した毛髪トリミングデバイスの汎用性は、図１０及び１１に示されるように、所望であればトリミングデバイスにクリップ留めすることができる、櫛アタッチメント５を含めることによって更に向上する。櫛アタッチメントは、フレーム５７と、第１のカッターブレードアセンブリ４２に沿って離間し、このブレードアセンブリのブレードを包み込んでブレードを皮膚から特定の距離で維持するように配置され、それによって毛髪を所望の長さまで切ることができる櫛要素５８とを含む。一連のそのようなクリップオン式アタッチメントは、当然ながら、所望の程度の毛髪長さに関して使用要件を満たすように提供されることができる。
【００１９】
基部１は、装置の構成要素の便利な格納部となるとともに、ハンドル２内に収容された電池の充電ステーションにもなる。この目的のために、必要な再充電電気回路に加えて、基部は、図２に示されるような、ハンドル２を差し込む接続ソケット６を有する。ソケットは、動作ヘッド３及び４がそれぞれ備える雄連結部材１６のものと同型の電気接点２１’、２３’を有する。その結果、逆向きにしたハンドル２をソケット６に挿入し、それに設けられた差し込み連結具によって基部に接続し、それによって、再充電電流をハンドル２内の充電式電池１３に送るために、ハンドルの接点１７及び２０を対応するソケット接点２１’及び２３’と電気的に接続させることができる。ハンドル２のスイッチ１４は、充電電流の流れを制御するように配置されてもよい。あるいは、この目的のために、スイッチは基部１に設けられてもよく、又は別個の切換え装置をハンドル２に含めることができる。所望であれば、電池の充電状態を示すインジケータを基部上に設けることもできる。接点２１’、２３’は、基部のケーシングに形成された円筒形の陥凹部内に位置し、この陥凹部の周壁は、トリミングデバイス３の遮壁２５に関して上述したのと同じ形で、ハンドル及び充電デバイスの接続された接点の周りに密閉されたエンクロージャを形成する役割を果たすことができる。
【００２０】
「発明を実施するための形態」にて列挙した全ての文献は、関連部分において本明細書に参照により組み込まれるが、いかなる文献の列挙も、それが本発明に関する先行技術であることを容認するものと解釈すべきではない。本明細書における用語の任意の意味又は定義が、参照により組み込まれる文献におけるその用語の任意の意味又は定義と矛盾する範囲においては、本明細書でその用語に対して与えられた意味又は定義を適用するものとする。
【００２１】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲との両方を意味するものとする。例えば、「４０ｍｍ」として開示された寸法は、「約４０ｍｍ」を意味するものとする。
【００２２】
以上、本発明の特定の実施形態を図示し説明してきたが、本発明の趣旨及び範囲から逸脱することなく他の様々な変更及び修正を行うことが可能である点は当業者には自明であろう。したがって、本発明の範囲内にあるそのような全ての変更及び修正を、添付の特許請求の範囲で扱うものとする。
【図１】
2010536460.tif 000003
【図２】
2010536460.tif 000004
【図３】
2010536460.tif 000005
【図４Ａ】
2010536460.tif 000006
【図４Ｂ】
2010536460.tif 000007
【図４Ｃ】
2010536460.tif 000008
【図５】
2010536460.tif 000009
【図６】
2010536460.tif 000010
【図７】
2010536460.tif 000011
【図８】
2010536460.tif 000012
【図９】
2010536460.tif 000013
【図１０】
2010536460.tif 000014
【図１１】
2010536460.tif 000015
【国際調査報告】
2010536460.tif 000016
2010536460.tif 000017
2010536460.tif 000018